(57)【要約】      （修正有）【課題】赤外線放射源の作動範囲又は落下範囲が広く、かつ赤外線放射源をスクリーン状に形成してスクリーニング効果を発揮することができるスクリーン型赤外線デコイ弾を提供する。【解決手段】複数の赤外線放射源１２と、間隔を隔てて赤外線放射源を連結するワイヤ１４と、ワイヤを折り畳んだ状態で複数の赤外線放射源をそれぞれ収容する１対のサブ飛翔体１６と、１対のサブ飛翔体を内部に収容し、空中に打ち出されて姿勢を保持したまま飛翔し、空中でサブ飛翔体を放出するメイン飛翔体とを備える。１対のサブ飛翔体１６は、放出時に水平かつ反対方向に飛翔し、ワイヤ１４の展張により複数の赤外線放射源１２を順次に空中に展開し、展開した赤外線放射源１２を空中または水面で作動させる。【選択図】図６
2011252630.tif 000002
【特許請求の範囲】
【請求項１】
複数の赤外線放射源と、
間隔を隔てて前記赤外線放射源を直列に連結する可撓性のワイヤと、
該ワイヤの両端がそれぞれ連結され、前記ワイヤを折り畳んだ状態で、複数の前記赤外線放射源をそれぞれ収容する１対のサブ飛翔体と、
前記１対のサブ飛翔体を内部に収容し、発射装置により空中に打ち出され、所定の姿勢を保持したまま飛翔し、空中で前記サブ飛翔体を放出するメイン飛翔体と、を備え、
前記１対のサブ飛翔体は、前記放出により水平かつ反対方向に飛翔し、ワイヤの展張によりワイヤで連結された複数の赤外線放射源を順次に空中に展開し、展開した赤外線放射源を、導爆線を介して空中または水面で作動させる、ことを特徴とするスクリーン型赤外線デコイ弾。
【請求項２】
前記サブ飛翔体に取り付けられ、前記放出により前記１対のサブ飛翔体の姿勢を水平かつ反対方向に変更する姿勢変更機構を備える、ことを特徴とする請求項１に記載のスクリーン型赤外線デコイ弾。
【請求項３】
前記ワイヤの両端及び中央部に取り付けられた複数の落下傘を備え、空中で作動する、ことを特徴とする請求項１に記載のスクリーン型赤外線デコイ弾。
【発明の詳細な説明】
【技術分野】
【０００１】
本発明は、スクリーン状に赤外線放射源を形成するスクリーン型赤外線デコイ弾に関する。
【０００２】
赤外線放射源は、赤外線シーカミサイルを欺瞞するための赤外線の放射源である。また、赤外線デコイ弾は、空中に発射され、空中又は海面上に赤外線放射源を放出する装置である。
【０００３】
上述した赤外線放射源及び赤外線デコイ弾は、例えば非特許文献１、特許文献１，２に開示されている。
【先行技術文献】
【非特許文献】
【０００４】
【非特許文献１】「護衛艦パーフェクトガイド」、（株）学習研究社、２００６年１２月１日第１刷発行
【特許文献】
【０００５】
【特許文献１】特開２０００−１２１２９８号公報「おとり装置」
【特許文献２】特開２００１−１７４１９６号公報「赤外線デコイフレア飛しょう体」
【発明の概要】
【発明が解決しようとする課題】
【０００６】
図１は、従来の赤外線デコイ弾の説明図である。この図に示すように、従来赤外線デコイ弾１は、艦艇２に搭載された発射装置３から発射され、空中において内部に収納された赤外線放射源４を展開・放出する。放出された赤外線放射源４は、空中又は海面上において作動して赤外線を放射し、赤外線シーカミサイルを欺瞞するようになっている。
【０００７】
上述した赤外線デコイ弾により赤外線シーカミサイルを効果的に欺瞞するためには、艦艇２と比較して赤外線放射源４による赤外線の放射面積が広く、かつ放射強度が強いことが望ましい。
【０００８】
しかし従来の赤外線デコイ弾は、飛翔体内部に収納された赤外線放射源を一斉に放出させるため、作動ポイントまたは落下ポイントの範囲が狭い問題点があった。
また、そのため、赤外線放射源をスクリーン状に形成するスクリーニング効果（艦艇を覆い隠すような赤外線放射による目くらまし）が期待できないという問題点があった。
【０００９】
本発明は上述した問題点を解決するために創案されたものである。すなわち本発明の目的は、赤外線放射源の作動範囲又は落下範囲が広く、かつ赤外線放射源をスクリーン状に形成してスクリーニング効果を発揮することができるスクリーン型赤外線デコイ弾を提供することにある。
【課題を解決するための手段】
【００１０】
本発明によれば、複数の赤外線放射源と、
間隔を隔てて前記赤外線放射源を直列に連結する可撓性のワイヤと、
該ワイヤの両端がそれぞれ連結され、前記ワイヤを折り畳んだ状態で、複数の前記赤外線放射源をそれぞれ収容する１対のサブ飛翔体と、
前記１対のサブ飛翔体を内部に収容し、発射装置により空中に打ち出され、所定の姿勢を保持したまま飛翔し、空中で前記サブ飛翔体を放出するメイン飛翔体と、を備え、
前記１対のサブ飛翔体は、前記放出により水平かつ反対方向に飛翔し、ワイヤの展張によりワイヤで連結された複数の赤外線放射源を順次に空中に展開し、展開した赤外線放射源を、導爆線を介して空中または水面で作動させる、ことを特徴とするスクリーン型赤外線デコイ弾が提供される。
【００１１】
本発明の実施形態によれば、前記サブ飛翔体に取り付けられ、前記放出により前記１対のサブ飛翔体の姿勢を水平かつ反対方向に変更する姿勢変更機構を備える。
【００１２】
また、前記ワイヤの両端及び中央部に取り付けられた複数の落下傘を備え、空中で作動する、ことが好ましい。
【発明の効果】
【００１３】
上記本発明の構成によれば、複数の赤外線放射源が、可撓性のワイヤにより間隔を隔てて直列に連結されており、ワイヤの展張によりワイヤで連結された複数の赤外線放射源を順次に空中に展開し、展開した赤外線放射源を、導爆線を介して空中または水面で作動させるので、赤外線放射源が一列に並ぶことで赤外線放射源の作動範囲及び落下範囲を広くできる。
【００１４】
また、１対のサブ飛翔体を内部に収容したメイン飛翔体が、発射装置により空中に打ち出され、所定の姿勢を保持したまま飛翔し、空中で前記サブ飛翔体を放出し、この前記放出により前記１対のサブ飛翔体は、水平かつ反対方向に飛翔するので、ワイヤで連結された複数の赤外線放射源が水平に一列に並ぶことで赤外線放射源からの赤外線の放射領域をスクリーン状に形成し、スクリーニング効果を発揮することができる。
【図面の簡単な説明】
【００１５】
【図１】従来の赤外線デコイ弾の説明図である。
【図２】本発明のスクリーン型赤外線デコイ弾の全体構成図である。
【図３】本発明のスクリーン型赤外線デコイ弾の分解図である。
【図４】本発明によるサブ飛翔体の構成図である。
【図５】本発明のサブ飛翔体の放出から作動までの説明図である。
【図６】本発明のスクリーン型赤外線デコイ弾の発射から赤外線放射源の作動までの説明図である。
【発明を実施するための形態】
【００１６】
本発明を実施するための最良の実施形態を図面に基づいて説明する。なお、各図において共通する部分には同一の符号を付し、重複した説明を省略する。
【００１７】
図２は、本発明のスクリーン型赤外線デコイ弾の全体構成図であり、図３は、本発明のスクリーン型赤外線デコイ弾の分解図、図４は、本発明によるサブ飛翔体の構成図である。
これらの図において、本発明のスクリーン型赤外線デコイ弾１０は、複数の赤外線放射源１２、可撓性のワイヤ１４、１対のサブ飛翔体１６、及びメイン飛翔体１８を備える。
【００１８】
複数（この例では１０個）の赤外線放射源１２は、導爆線（図示せず）を介して着火して赤外線を所定の時間、放射する赤外線の放射源である。赤外線放射源１２の形状はこの例では円柱形であるが、その他の形状であってもよい。また、赤外線の放射を短時間で行っても、長時間継続して行ってもよい。
【００１９】
可撓性のワイヤ１４は、金属製又は耐熱性の紐部材であり、所定の間隔を隔てて複数の赤外線放射源１２を直列に順次連結する。
【００２０】
１対のサブ飛翔体１６は、ワイヤ１４の両端がそれぞれ連結され、ワイヤ１４を折り畳んだ状態で、複数（この例では５個ずつ）の赤外線放射源１２をそれぞれ収容する。
【００２１】
サブ飛翔体１６は、外殻１６ａ、ロケットモータ２０及び姿勢変更機構２２を備える。
【００２２】
外殻１６ａは、この例で下端が開口した円筒形であり、ワイヤ１４を外側に引くことで、開口した下端から赤外線放射源１２を順に引き出すことができるようになっている。なお、外殻１６ａの形状は円筒形以外でもよい。
また、収容された赤外線放射源１２がすべて引き出された後、サブ飛翔体１６に連結されたワイヤ１４の端部が、自動で分離するのが好ましいが、連結したままであってもよい。
【００２３】
ロケットモータ２０は、円筒形の外殻１６ａの外側上部の両側面（図３で外殻１６ａの前後）に設けられ、外部に燃焼ガスを噴射してサブ飛翔体１６を飛翔させる。
この例において、１対のロケットモータ２０は、円筒形の外殻１６ａの外側に設けられているが、ロケットモータ２０を外殻１６ａに内蔵し、燃焼ガスのみを外部に噴射するようにしてもよい。また、１対のロケットモータ２０を両側面に互いに反対方向に傾斜させて取り付けてもよい。
【００２４】
姿勢変更機構２２は、図４において、各外殻１６ａの下端側面に取り付けられた連結部２２ａと、２つの連結部２２ａを反対方向に付勢するバネ部材２２ｂとからなる。
【００２５】
メイン飛翔体１８は、艦艇等に搭載された発射装置（図示せず）により空中に打ち出され、翼１９により所定の姿勢を保持したまま飛翔する。所定の姿勢は、１対のサブ飛翔体１６がメイン飛翔体１８の発射方向に対して左右に水平に位置する姿勢である。
また、メイン飛翔体１８は、この例では１８ａ，１８ｂ，１８ｂ，１８ｃの４つの外殻部分からなり、図示しない展開装置（例えば火薬）により、空中で分離し、空中でサブ飛翔体１６を空中に放出する。
【００２６】
メイン飛翔体１８は、１対のサブ飛翔体１６を内部に収容する。この収容状態において、１対のサブ飛翔体１６は図２に示すように互いに平行に位置し、姿勢変更機構２２により下端が連結されている。
【００２７】
姿勢変更機構２２は、収容状態において、２つの連結部２２ａが平行に位置し、バネ部材２２ｂにより外向きに付勢されている。この状態から１対のサブ飛翔体１６が放出されると、バネ部材２２ｂの付勢力により、１対のサブ飛翔体１６の姿勢を平行位置からＶ字位置を経て、好ましくは水平かつ反対方向に変更する。
【００２８】
図５は、本発明のサブ飛翔体の放出から作動までの説明図である。
この図において、（Ａ）はサブ飛翔体の放出時、（Ｂ）はサブ飛翔体の飛翔時、（Ｃ）は赤外線放射源の作動時を示している。
【００２９】
サブ飛翔体の放出時（Ａ）には、姿勢変更機構２２により、１対のサブ飛翔体１６が放出されたときに、１対のサブ飛翔体１６の姿勢を、平行位置からＶ字位置を経て、水平かつ反対方向に変更する。
【００３０】
サブ飛翔体の飛翔時（Ｂ）には、バネ部材２２ｂが外れて１対のサブ飛翔体１６が別々になり、それぞれロケットモータ２０が外部に燃焼ガスを噴射して水平かつ反対方向に飛翔する。
この飛翔により、ワイヤ１４が展張し、この展張によりワイヤ１４で連結された複数の赤外線放射源１２を順次に空中に展開する。
【００３１】
赤外線放射源の作動時（Ｃ）には、展開した赤外線放射源１２が導爆線を介して空中または水面で作動する。
なお、空中で作動する場合には、図に示すようにワイヤ１４の両端及び中央部に複数の落下傘２４を取り付けて、滞空時間を長くすることが好ましい。
【００３２】
図６は、本発明のスクリーン型赤外線デコイ弾の発射から赤外線放射源の作動までの説明図である。
この図において、図６（Ａ）はスクリーン型赤外線デコイ弾の発射からサブ飛翔体の飛翔までを示している。
【００３３】
図６（Ａ）において、スクリーン型赤外線デコイ弾１０は、艦艇２に搭載された発射装置３により空中に打ち出される。
次いで、スクリーン型赤外線デコイ弾１０は所定の姿勢を保持したまま飛翔し、空中でサブ飛翔体１６を放出する。
放出された１対のサブ飛翔体１６は、水平かつ反対方向に飛翔する。
【００３４】
図６（Ｂ）は、図６（Ａ）のＢ−Ｂ矢視図であり、赤外線放射源１２の空中作動時を示している。
この図に示すように、空中作動時には、１対のサブ飛翔体１６が、水平かつ反対方向に飛翔するので、ワイヤ１４で連結された複数の赤外線放射源１２を水平に一列に並ぶことで赤外線放射源１２からの赤外線の放射領域をスクリーン状に形成し、赤外線シーカミサイルに対し、スクリーニング効果を発揮することができる。
【００３５】
図６（Ｃ）は、図６（Ａ）のＢ−Ｂ矢視図であり、赤外線放射源の水面作動時を示している。
図６（Ｂ）の状態を経由して、赤外線放射源１２が水面に着水すると、赤外線放射源１２自体の浮力により水面で上向きとなる。赤外線放射源１２は、空中で作動して水面に着水しても良いし、着水後に導爆線を介して水面で作動させても良い。赤外線放射源１２が一列に並ぶことで赤外線放射源の作動範囲及び落下範囲を広くできる。
【００３６】
なお、赤外線放射源１２の作動を空中にするか水面にするかは、赤外線放射源１２の種類やその作動タイミングにより自由に設定することができる。
【００３７】
上述したように、本発明の構成によれば、複数の赤外線放射源１２が、可撓性のワイヤ１４により間隔を隔てて直列に連結されており、ワイヤ１４の展張によりワイヤ１４で連結された複数の赤外線放射源１２を順次に空中に展開し、展開した赤外線放射源１２を、導爆線を介して空中または水面で作動させるので、赤外線放射源１２が一列に並ぶことで赤外線放射源の作動範囲及び落下範囲を広くできる。
【００３８】
また、１対のサブ飛翔体１６を内部に収容したメイン飛翔体１８が、発射装置により空中に打ち出され、所定の姿勢を保持したまま飛翔し、空中でサブ飛翔体１６を放出し、この放出により１対のサブ飛翔体１６は、水平かつ反対方向に飛翔するので、ワイヤ１４で連結された複数の赤外線放射源１２が水平に一列に並ぶことで赤外線放射源１２からの赤外線の放射領域をスクリーン状に形成し、スクリーニング効果を発揮することができる。
【００３９】
なお、本発明は上述した実施形態に限定されず、特許請求の範囲の記載によって示され、さらに特許請求の範囲の記載と均等の意味および範囲内でのすべての変更を含むものである。
【符号の説明】
【００４０】
１  赤外線デコイ弾、２  艦艇、３  発射装置、４  赤外線放射源、
１０  スクリーン型赤外線デコイ弾、１２  赤外線放射源、
１４  ワイヤ、１６  サブ飛翔体、１６ａ  外殻、
１８  メイン飛翔体、１８ａ，１８ｂ，１８ｃ  外殻部分、
１９  翼、２０  ロケットモータ、
２２  姿勢変更機構、２２ａ  連結部、２２ｂ  バネ部材
【図１】
2011252630.tif 000003
【図２】
2011252630.tif 000004
【図３】
2011252630.tif 000005
【図４】
2011252630.tif 000006
【図５】
2011252630.tif 000007
【図６】
2011252630.tif 000008